【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
タッチパネルへのタッチ操作を検出するタッチ検出手段と、
ファインダを介して被写体像が視認可能な場合において、
前記タッチパネルにおいて第１の距離、タッチ位置が移動したことに応じて、前記ファインダを介して視認可能なファインダ内の表示部において設定領域を示す所定のアイテムが移動する距離は、前記設定領域が第１の大きさの場合よりも、前記設定領域が前記第１の大きさよりも大きな第２の大きさの場合の方が大きくなるように制御する制御手段とを有することを特徴とする撮像装置。
【請求項２】
前記ファインダ外の表示部にライブビュー画像が表示されている場合には、前記設定領域が前記第１の大きさの場合と、前記第２の大きさの場合とで、前記タッチパネルにおいて前記第１の距離、タッチ位置が移動したことに応じて、前記ファインダ外の表示部において前記所定のアイテムが移動する距離は同じであることを特徴とする請求項１に記載の撮像装置。
【請求項３】
前記ファインダへの物体の接近を検知する接近検知手段をさらに有し、
前記制御手段は、前記接近検知手段が前記ファインダへの物体の接近を検知している場合に、前記タッチパネルにおいて前記第１の距離、タッチ位置が移動したことに応じて、前記ファインダを介して視認可能なファインダ内の表示部において前記所定のアイテムが移動する距離は、前記所定のアイテムが前記第１の大きさの場合よりも前記所定のアイテムが前記第２の大きさの場合の方が大きくなるようにし、
前記接近検知手段が前記ファインダへの物体の接近を検知していない場合には、前記所定のアイテムが前記第１の大きさの場合と、前記第２の大きさの場合とで、前記タッチパネルにおいて前記第１の距離、タッチ位置が移動したことに応じて、前記ファインダ外の表示部において前記所定のアイテムが移動する距離を同じにするように制御することを特徴とする請求項１または２に記載の撮像装置。
【請求項４】
前記制御手段は、前記接近検知手段が前記ファインダへの物体の接近を検知していない場合に、前記ファインダ外の表示部にライブビュー画像を表示するように制御することを特徴とする請求項３に記載の撮像装置。
【請求項５】
前記制御手段は、前記ファインダを介して被写体像が視認可能な場合において、前記タッチパネルにおいて所定のタッチ操作がされたことに応じて、前記所定のアイテムを、前記所定のタッチ操作がされた位置に対応する前記ファインダ内の表示部の位置に表示するように制御することを特徴とする請求項１乃至４のいずれか１項に記載の撮像装置。
【請求項６】
前記所定のタッチ操作は、ダブルタップまたはロングタッチのいずれかであることを特徴とする請求項５に記載の撮像装置。
【請求項７】
前記タッチパネルにおいて、前記所定のアイテムを移動するためのタッチ操作を受け付けるタッチ有効領域を設定する領域設定手段をさらに有し、
前記ファインダを介して前記被写体像が視認可能な場合には、前記タッチ有効領域は所定の大きさよりも小さくなり、
前記ファインダ外の表示部にライブビュー画像が表示されている場合には、前記タッチ有効領域は前記所定の大きさよりも大きくなることを特徴とする請求項１乃至６のいずれか１項に記載の撮像装置。
【請求項８】
前記タッチパネルと前記ファインダ外の表示部とは一体に設けられていることを特徴とする請求項７に記載の撮像装置。
【請求項９】
前記設定領域の大きさは、前記第１の大きさ、前記第２の大きさ、前記第２の大きさよりもさらに大きな第３の大きさから少なくとも選択可能であり、
前記ファインダを介して被写体像が視認可能な場合において、前記所定のアイテムの大きさが前記第２の大きさであり、前記タッチパネルにおいて前記第１の距離、タッチ位置が移動したことに応じた前記所定のアイテムの前記ファインダ内の表示部における移動と、
前記ファインダ外の表示部にライブビュー画像が表示されている場合において、前記タッチパネルにおいて前記第１の距離、タッチ位置が移動したことに応じた前記所定のアイテムの前記ファインダ外の表示部における移動とは同じであることを特徴とする請求項１乃至８のいずれか１項に記載の撮像装置。
【請求項１０】
前記設定領域は、自動合焦をする位置を示す領域であることを特徴とする請求項１乃至９のいずれか１項に記載の撮像装置。
【請求項１１】
前記設定領域は、自動露出をする位置を示す領域であることを特徴とする請求項１乃至９のいずれか１項に記載の撮像装置。
【請求項１２】
前記ファインダは電子ビューファインダであることを特徴とする請求項１乃至１１のいずれか１項に記載の撮像装置。
【請求項１３】
前記ファインダは光学ファインダであることを特徴とする請求項１乃至１１のいずれか１項に記載の撮像装置。
【請求項１４】
前記所定のアイテムの大きさを少なくとも前記第１の大きさと前記第２の大きさとで変更可能な変更手段をさらに有することを特徴とする請求項１乃至１３のいずれか１項に記載の撮像装置。
【請求項１５】
前記変更手段は、前記タッチパネルを強く押しこむ操作、ダブルタップ操作、所定時間以上タッチをする操作の何れかの操作に応じて前記所定のアイテムの大きさを変更することを特徴とする請求項１４に記載の撮像装置。
【請求項１６】
前記制御手段は、前記タッチパネルへのタッチが開始されたことに応じて、前記ファインダ内の表示部において、前記所定のアイテムを設定中の大きさで表示するように制御することを特徴とする請求項１乃至１５のいずれか１項に記載の撮像装置。
【請求項１７】
前記所定のアイテムは、追尾位置を示すアイテムであり、追尾をする被写体の大きさに応じて、前記所定のアイテムの大きさが変更されることを特徴とする請求項１乃至９のいずれか１項に記載の撮像装置。
【請求項１８】
タッチパネルへのタッチ操作を検出するタッチ検出手段と、
前記タッチパネルのタッチが開始された位置に対応した表示部の位置に設定領域を示す所定のアイテムが表示されず、前記タッチの移動が検出される前の前記所定のアイテムの前記表示部の位置から、前記タッチの移動した量に応じて移動した位置に前記所定のアイテムが表示される相対座標モードの場合には、
前記タッチパネルにおいて第１の距離、タッチ位置が移動したことに応じて、前記表示部において前記所定のアイテムが移動する距離は、前記設定領域が第１の大きさの場合よりも前記設定領域が前記第１の大きさより大きな第２の大きさの場合の方が大きくなるように制御する制御手段とを有することを特徴とする撮像装置。
【請求項１９】
前記制御手段は、前記タッチが開始された位置に対応した位置に前記所定のアイテムが表示される絶対座標モードの場合には、前記所定のアイテムが前記第１の大きさの場合と、前記第２の大きさの場合とで、前記タッチパネルにおいて前記第１の距離、タッチ位置が移動したことに応じて、前記所定のアイテムの移動する距離が同じとなるように制御することを特徴とする請求項１８に記載の撮像装置。
【請求項２０】
タッチパネルへのタッチ操作を検出するタッチ検出手段と、
前記タッチパネルのうち、設定領域を示す所定のアイテムを移動するためのタッチ操作を受け付け可能な領域が所定の大きさよりも小さい場合において、
前記タッチパネルにおいて第１の距離、タッチ位置が移動したことに応じて、
前記所定のアイテムが移動する距離は、前記設定領域が第１の大きさの場合よりも前記設定領域が前記第１の大きさより大きな第２の大きさの場合の方が大きくなるように制御する制御手段とを有することを特徴とする撮像装置。
【請求項２１】
前記制御手段は、前記所定のアイテムを移動するためのタッチ操作を受け付け可能な領域が所定の大きさよりも大きい場合には、前記設定領域が前記第１の大きさの場合と、前記第２の大きさの場合とで、前記タッチパネルにおいて前記第１の距離、タッチ位置が移動したことに応じて、前記所定のアイテムの移動する距離は同じとなるように制御することを特徴とする請求項２０に記載の撮像装置。
【請求項２２】
前記タッチパネルとは別に設けられる、前記所定のアイテムを移動可能な操作部材への操作を受け付け可能な受け付け手段をさらに有し、
前記操作部材への操作がされた場合には、前記制御を行わないようにすることを特徴とする請求項１乃至２１のいずれか１項に記載の撮像装置。
【請求項２３】
タッチ検出手段が、タッチパネルへのタッチ操作を検出するタッチ検出工程と、
ファインダを介して被写体像が視認可能な場合において、
制御手段が、前記タッチパネルにおいて第１の距離、タッチ位置が移動したことに応じて、前記ファインダを介して視認可能なファインダ内の表示部において設定領域を示す所定のアイテムが移動する距離は、前記設定領域が第１の大きさの場合よりも、前記設定領域が前記第１の大きさよりも大きな第２の大きさの場合の方が大きくなるように制御する制御工程と、を有することを特徴とする撮像装置の制御方法。
【請求項２４】
タッチ検出手段が、タッチパネルへのタッチ操作を検出するタッチ検出工程と、
前記タッチパネルのタッチが開始された位置に対応した表示部の位置に設定領域を示す所定のアイテムが表示されず、前記タッチの移動が検出される前の前記所定のアイテムの前記表示部の位置から、前記タッチの移動した量に応じて移動した位置に前記所定のアイテムが表示される相対座標モードの場合には、
制御手段が、前記タッチパネルにおいて第１の距離、タッチ位置が移動したことに応じて、前記表示部において前記所定のアイテムが移動する距離は、前記設定領域が第１の大きさの場合よりも前記設定領域が前記第１の大きさよりも大きな第２の大きさの場合の方が大きくなるように制御する制御工程と、を有することを特徴とする撮像装置の制御方法。
【請求項２５】
タッチ検出手段が、タッチパネルへのタッチ操作を検出するタッチ検出工程と、
前記タッチパネルのうち、設定領域を示す所定のアイテムを移動するためのタッチ操作を受け付け可能な領域が所定の大きさよりも小さい場合において、
制御手段が、前記タッチパネルにおいて第１の距離、タッチ位置が移動したことに応じて、
前記所定のアイテムが移動する距離は、前記設定領域が第１の大きさの場合よりも前記設定領域が前記第１の大きさよりも大きな第２の大きさの場合の方が大きくなるように制御する制御工程と、を有することを特徴とする撮像装置の制御方法。
【請求項２６】
撮像装置が有するコンピュータを、請求項１乃至２２のいずれか１項に記載された撮像装置の各手段として機能させるためのプログラム。
【請求項２７】
撮像装置が有するコンピュータを、請求項１乃至２２のいずれか１項に記載された撮像装置の各手段として機能させるためのプログラムを格納した、コンピュータが読み取り可能な記憶媒体。
【手続補正２】
【補正対象書類名】明細書
【補正対象項目名】００１９
【補正方法】変更
【補正の内容】
【００１９】
図２は、図１に示したデジタルカメラ１００の機能構成例を示すブロック図であり、図１に示した構成については同じ参照数字を付してある。
レンズユニット１５０において、撮影レンズ１０３は通常、複数枚のレンズから構成されるが、一枚のレンズのみで示している。絞り１は絞り駆動回路２によって駆動される。また、撮影レンズ１０３に含まれるフォーカスレンズはＡＦ駆動回路３によって駆動される。端子６はレンズユニット１５０をデジタルカメラ１００に装着した際に端子１０と接触し、デジタルカメラ１００から電源の供給を受けたり、デジタルカメラ１００と通信を行うために用いられる。より具体的には、レンズユニット１５０のレンズシステム制御回路４とデジタルカメラ１００のシステム制御部５０とが端子６および１０を通じて互いに通信する。そして、例えばシステム制御部５０からの指示に従ってレンズシステム制御回路４が絞り駆動回路２を介して絞り１を制御し、またＡＦ駆動回路３を介して撮影レンズ１０３の合焦位置を制御する。
【手続補正３】
【補正対象書類名】明細書
【補正対象項目名】００２１
【補正方法】変更
【補正の内容】
【００２１】
ミラー１２は、ダウン状態（図示）とアップ状態とが切り替え可能であり、レンズユニット１５０からの光束が、ダウン状態では光学ファインダ（フォーカシングスクリーン１３方向）と焦点検出部１１に入射し、アップ状態では撮像部２２に入射する。ミラー１２の状態はシステム制御部５０が制御する。システム制御部５０は、静止画の撮影時や動画の撮影時（ライブビュー画像の撮影時を含む）にミラー１２をアップ状態に、それ以外の期間ではミラー１２をダウン状態に制御する。ミラー１２の中央部はハーフミラーとされ、ダウン状態で透過した光がミラー１２の背面に設けられたサブミラー（不図示）によって焦点検出部１１に入射する。
【手続補正４】
【補正対象書類名】明細書
【補正対象項目名】００４６
【補正方法】変更
【補正の内容】
【００４６】
Ｓ３０１では、システム制御部５０は、タッチ操作に関するパラメータを不揮発性メモリ５６からシステムメモリ５２に読み出す。ここで読み出すパラメータは例えば有効領域（検出されたタッチ操作を有効と見なす（あるいは受け付ける）領域）の位置およびサイズや、位置指定モード（絶対座標モードまたは相対座標モード）、タッチ操作とユーザ指示との対応情報などがある。なお、絶対座標モードは、タッチパネル２８ａの有効領域内の座標とファインダ１６内の表示部または表示部２８の表示領域内の座標とを対応させて取り扱うモードである。すなわち、絶対座標モードでは、タッチの開始（タッチダウン）に応じて、元の指定されていた座標の位置に関わらず、ファインダ１６内の表示部または表示部２８の対応する座標が指定される。表示部２８の場合には、タッチ位置の座標が指定される。また、相対座標モードは、タッチパネル２８ａの有効領域内の座標と、ファインダ１６内の表示部の表示領域の座標とが直接対応していないものとして取り扱うモードである。すなわち、相対座標モードでは、タッチの開始に応じて、ファインダ１６内の表示部の対応する座標（または表示部２８のタッチ位置）が指定されず、タッチ位置の移動量に応じた分、もともと設定されていた座標から指定する座標が移動される。なお、特に記載しない限り、システム制御部５０は、タッチ操作の判定を、有効領域内で検出されたタッチ操作に対してのみ実行する。絶対座標モードか相対座標モードかはユーザがメニュー画面において設定できてもよい。
【手続補正５】
【補正対象書類名】明細書
【補正対象項目名】００６７
【補正方法】変更
【補正の内容】
【００６７】
なお、Ｓ４０１でタッチダウンが検出された座標が、現在のＡＦ枠内の座標であった場合、システム制御部５０は現在のＡＦ枠の位置および大きさに対応するタッチ位置指標を表示し、アイテム指標は表示しなくてもよい。この状態でタッチムーブが検出されると、システム制御部５０は上述のＳ４０４からＳ４０６の処理によって現在のＡＦ枠の位置を移動する。例えば、図６（ｂ）は、現在のＡＦ枠（中心座標（Ｘ２，Ｙ２）とする）内の座標でタッチダウンが検出された後、タッチムーブが検出され、座標（Ｘ３，Ｙ３）でタッチアップが検出された場合のタッチ位置指標８０３の表示例を示している。この場合、絶対座標モードであるため、タッチ位置の移動距離（（Ｘ３，Ｙ３）−（Ｘ２，Ｙ２））と、タッチ位置指標８０３の移動距離とは対応している。なお、図６（ａ）と（ｂ）とでＡＦ枠の大きさが変わっていることに特段の意味はない。
【手続補正６】
【補正対象書類名】明細書
【補正対象項目名】００７９
【補正方法】変更
【補正の内容】
【００７９】
図８（ａ）に示す、ファインダ１６内における被写体像内の距離Ｌｆは、図６（ａ）に示す表示部２８内での距離Ｌｐに対応している。つまり、ファインダ内表示部４１においてＡＦ枠が距離Ｌｆ移動した場合と、表示部２８内でＡＦ枠がＬｐ移動した場合とで、もともと設定されていたＡＦ枠の位置が同じであれば移動後のＡＦ処理の設定値は同じとなる。よって、ファインダ１６内の表示部においてＡＦ枠を距離Ｌｆ移動させる操作と、表示部２８（タッチパネル２８ａ）上でＡＦ枠を距離Ｌｐ移動させる操作とによるＡＦ位置の設定変更量は等しくなるように設定する。
【手続補正７】
【補正対象書類名】明細書
【補正対象項目名】００８７
【補正方法】変更
【補正の内容】
【００８７】
Ｓ５０９でシステム制御部５０は、Ｓ４０７と同様に、タッチパネル２８ａでタッチアップが検出されたか否かを判定し、検出されたと判定されれば処理を終了し、検出されたと判定されなければＳ５０４へ処理を戻す。なお、タッチアップが検出されたと判定された場合、システム制御部５０はＡＦ枠の設定位置と大きさをタッチアップ時のガイド指標の位置と大きさに変更する。また、タッチアップが検出された際に、その時点のＡＦ枠に対して第１シャッタスイッチ６２がオンした場合と同様に焦点検出処理を実行するように構成してもよい。タッチアップ検出時に焦点検出処理を実行する場合、ＡＦ枠が所定サイズ以下の場合にはそうでない場合よりも焦点検出処理を開始するまでの時間を長くする。
【手続補正８】
【補正対象書類名】明細書
【補正対象項目名】００９２
【補正方法】変更
【補正の内容】
【００９２】
一方で、有効領域の大きさに反比例して、タッチムーブ距離に対するＡＦ枠の移動量を大きくすると、有効領域が小さいほど、少しのタッチムーブで大幅にＡＦ枠が移動してしまう。よって、有効領域が所定よりも小さい場合には、一定距離ＡＦ枠の表示位置を移動する際に必要なタッチムーブ距離を、ＡＦ枠が大きい時の方が、ＡＦ枠が小さい時よりも小さくすることでユーザの操作性が向上する。つまり、タッチ有効領域が所定よりも小さく、ＡＦ枠が大きい時は少しの操作で大きくＡＦ枠が移動するので、大幅にＡＦ枠を移動したい時に少ないタッチムーブ距離でよい。ＡＦ枠が小さいとき、ユーザはＡＦ枠の位置を細かく設定することを希望する可能性が高いので、少しの操作で大きくＡＦ枠の表示位置が移動せず、ＡＦ枠が大きいときよりも少ない距離ずつ移動させる。よって、細かな調整がしやすくなる。
【手続補正９】
【補正対象書類名】図面
【補正対象項目名】図３
【補正方法】変更
【補正の内容】
【図３】
2018125612.tif 000001
【手続補正１０】
【補正対象書類名】図面
【補正対象項目名】図４
【補正方法】変更
【補正の内容】
【図４】
2018125612.tif 000002
【手続補正１１】
【補正対象書類名】図面
【補正対象項目名】図７
【補正方法】変更
【補正の内容】
【図７】
2018125612.tif 000003